(57)【要約】【課題】本発明は、薄型でありながら、画素で発光した光の取り出し効率を向上させることのできる表示装置を提供することを目的とする。【解決手段】本発明によって、複数の画素が配列された表示領域を有する第１の基板と、第１の基板に対向配置されるロッドレンズアレイと、を有し、ロッドレンズアレイは、画素に対して１又は２以上のロッドレンズが重なるように設けられている表示装置を提供する。【選択図】図２
2015215388.tif 000002
【特許請求の範囲】
【請求項１】
複数の画素が配列された表示領域を有する第１の基板と、
前記第１の基板に対向配置されるロッドレンズアレイと、を有し、
前記ロッドレンズアレイは、前記画素に対して１又は２以上のロッドレンズが重なるように設けられていることを特徴とする表示装置。
【請求項２】
前記ロッドレンズアレイの表面は平坦形状であることを特徴とする請求項１に記載の表示装置。
【請求項３】
前記ロッドレンズは、ガラスからなることを特徴とする請求項１または２に記載の表示装置。
【請求項４】
前記ロッドレンズは、プラスチックからなることを特徴とする請求項１または２のいずれかに記載の表示装置。
【請求項５】
前記ロッドレンズの中心からの距離によって光の屈折率が異なることを特徴とする請求項１乃至４のいずれかに記載の表示装置。
【請求項６】
前記ロッドレンズの中心に近い部分の光の屈折率が高く、前記ロッドレンズの中心から離れるにしたがって光の屈折率が連続的に低くなることを特徴とする請求項１乃至５のいずれかに記載の表示装置。
【請求項７】
前記ロッドレンズアレイから光が放出される方向に第２の基板を備えることを特徴とする請求項１乃至６のいずれかに記載の表示装置。
【請求項８】
前記第２の基板と前記ロッドレンズアレイとの間にカラーフィルタを備えることを特徴とする請求項１乃至７のいずれかに記載の表示装置。
【請求項９】
前記表示領域の最上層に封止膜を有し、
前記封止膜が前記ロッドレンズアレイに接していることを特徴とする請求項１乃至８のいずれかに記載の表示装置。
【請求項１０】
前記ロッドレンズと他の前記ロッドレンズとの間にクラッド領域を有し、前記クラッド領域においては前記ロッドレンズにおける光の屈折率と異なる光の屈折率を有することを特徴とする請求項１乃至９のいずれかに記載の表示装置。
【請求項１１】
前記ロッドレンズと他の前記ロッドレンズとの境界領域が前記画素と他の前記画素との間に存在することを特徴とする請求項１乃至１０のいずれかに記載の表示装置。
【発明の詳細な説明】
【技術分野】
【０００１】
本発明は、有機エレクトロルミネセンス素子などの発光素子で画素が構成された表示装置に関する。
【背景技術】
【０００２】
有機エレクトロルミネセンス（以下、「有機ＥＬ」ともいう）素子を各画素に設けた表示装置は、各画素に設けられたトランジスタにより有機ＥＬ素子の発光を動的に制御して画像を表示している。有機ＥＬ素子は、水分等の影響を受けて劣化することから、画素配列する画素部は水分の浸入を防ぐために封止構造が設けられている。封止構造は各種の方式が検討されているが、例えば、トランジスタや有機ＥＬ素子により画素部が形成された一方の基板と、これに対向する他方の基板を重ね合わせ、画素部を両基板の間に挟んで封止する構造が知られている。
【０００３】
有機ＥＬ素子を画素に設けた表示装置は、画素の発光をトランジスタが形成される基板側に射出させるものをボトムエミッション型、封止する基板側に射出させるものをトップエミッション型と呼んで便宜上区別されている。いずれの場合でも、光を射出する側の基板は透光性を有するものであることが必要となる。
【０００４】
このような表示装置では、各画素における有機ＥＬ素子の発光は、封止体の内側から、基板を透過して射出されることになる。有機ＥＬ素子の発光は全方位に放射されるため、画素からの光はさまざまな角度で基板に入射する。このとき、封止基板が透光性の基板であっても、その屈折率は空気の屈折率（ｎ＝１）よりも大きいのが通常であるため（例えば、ガラスの屈折率は約１．５である）、透光性基板と空気との界面に対して臨界角以上の角度で入射した光は全反射されてしまい、有効な射出光成分として外部に取り出すことができないことになる。
【０００５】
有機ＥＬ素子で発光した光の取り出し効率は、２０％から３０％程度であると言われており、この光の取り出し効率を向上させることは、有機ＥＬ素子を用いた表示装置において低消費電力化の観点からも極めて重要な課題である。
【０００６】
そこで、光の取り出し効率を高めるために、画素から光が射出される側の基板に、さらにマイクロレンズのような光学素子を付加した表示装置が知られている。例えば、有機ＥＬ層と基板との間に、基板側から有機ＥＬ層側に向かうにつれ屈折率が高くなるように勾配を持った勾配屈折率層を備え、勾配屈折率層が、同じ屈折率を持つ領域を見たとき、断面視で有機ＥＬ層側から基板側に向かって隆起した凸状部を持ち、この凸状部が面的に複数、隣接して分布している表示装置が開示されている（特許文献１参照）。また、マイクロレンズアレイのそれぞれのレンズ面に対応する型面を持つ金型に光硬化性樹脂を注入し、その上にそれぞれの透明基板を載せ、その金型に設けられた位置決め手段を用いて透明基板を位置決めし、透明基板側から光照射して光硬化性樹脂を硬化させることにより２つのレンズアレイ成形し、２つのレンズアレイをそれぞれの成形の際の位置決めに用いた位置決め部を用いて相互に位置合わせして一体化することで作製するマイクロレンズアレイが開示されている（特許文献２参照）。
【先行技術文献】
【特許文献】
【０００７】
【特許文献１】特開２０１０−１７６９２８公報
【特許文献２】特開２００８−１５２０４０公報
【発明の概要】
【発明が解決しようとする課題】
【０００８】
しかしながら、特許文献１に記載されている構成は、ボトムエミッション方式にしか適用できない。また、ＴＦＴやコンデンサを用いた画素回路を配置すると光取出し領域が制限されてしまう。特許文献２に記載されている方式によると、レンズ屈曲面に凹凸があるためギャップ制御に難がある。
【０００９】
そこで、本発明は、薄型でありながら、画素で発光した光の取り出し効率を向上させることのできる表示装置を提供することを目的の一つとする。また本発明は、合理的な製造工程で、光の取り出し効率を向上させることのできる表示装置を提供することを目的の一つとする。
【課題を解決するための手段】
【００１０】
本発明の一実施形態によれば、複数の画素が配列された表示領域を有する第１の基板と、第１の基板に対向配置されるロッドレンズアレイと、を有し、
ロッドレンズアレイは、画素に対して１又は２以上のロッドレンズが重なるように設けられていることを特徴とする表示装置が提供される。
【００１１】
本発明の一実施形態によれば、ロッドレンズアレイの表面は平坦形状であってもよい。
【００１２】
本発明の一実施形態によれば、ロッドレンズは、ガラスからなってもよい。
【００１３】
本発明の一実施形態によれば、ロッドレンズは、プラスチックからなってもよい。
【００１４】
本発明の一実施形態によれば、ロッドレンズの中心からの距離によって光の屈折率が異なってもよい。
【００１５】
本発明の一実施形態によれば、ロッドレンズの中心に近い部分の光の屈折率が高く、ロッドレンズの中心から離れるにしたがって光の屈折率が連続的に低くなってもよい。
【００１６】
本発明の一実施形態によれば、ロッドレンズアレイから光が放出される方向に基板を備えてもよい。
【００１７】
本発明の一実施形態によれば、基板とロッドレンズアレイとの間にカラーフィルタを備えてもよい。
【００１８】
本発明の一実施形態によれば、表示領域の最上層に封止膜を有し、封止膜がロッドレンズアレイに接していてもよい。
【００１９】
本発明の一実施形態によれば、ロッドレンズと他のロッドレンズとの間にクラッド領域を有し、クラッド領域においてはロッドレンズにおける光の屈折率と異なる光の屈折率を有してもよい。
【００２０】
本発明の一実施形態によれば、ロッドレンズと他のロッドレンズとの境界領域が画素と他の画素との間に存在してもよい。
【図面の簡単な説明】
【００２１】
【図１】本発明の一実施形態に係る表示装置の構成を示し、（Ａ）は平面図、（Ｂ）は断面図である。
【図２】本発明の一実施形態に係る表示装置の画素の構成を示す断面図である。
【図３】本発明の一実施形態に係る表示装置のロッドレンズアレイの構成を示す断面図である。
【図４】（Ａ）は本発明の一実施形態に係る表示装置の画素の構成を示した断面図であり、（Ｂ）は光が放出される様子を示す断面図である。
【図５】本発明の一実施形態に係るロッドレンズアレイの製造工程を説明する図である。
【図６】本発明の一実施形態に係るロッドレンズアレイの製造工程を説明する図である。
【図７】本発明の一実施形態に係る表示装置の画素の構成を示す断面図である。
【図８】本発明の一実施形態に係る表示装置において光が放出される様子を示す断面図である。
【発明を実施するための形態】
【００２２】
以下、本発明の実施の形態を、図面等を参照しながら説明する。但し、本発明は多くの異なる態様で実施することが可能であり、以下に例示する実施の形態の記載内容に限定して解釈されるものではない。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００２３】
本明細書において、ある部材又は領域が、他の部材又は領域の「上に（又は下に）」あるとする場合、特段の限定がない限り、これは他の部材又は領域の直上（又は直下）にある場合のみでなく、他の部材又は領域の上方（又は下方）にある場合を含み、すなわち、他の部材又は領域の上方（又は下方）において間に別の構成要素が含まれている場合も含む。
【００２４】
［第１の実施形態］
＜表示装置の構成＞
本発明の一実施形態に係る表示装置の構成を図１及び図２に示す。図１（Ａ）は表示装置１００の平面図を示し、図中に示すＡ−Ｂ線に対応する断面構造を図１（Ｂ）に示す。図２は図１（Ｂ）の表示領域１０６における画素をより詳細に示したものである。
【００２５】
図１及び図２に示したとおり、表示装置１００は、複数の画素が二次元的に配列された表示領域１０６を有している。表示領域１０６は第１基板１０４に設けられている。第１基板１０４には、走査線駆動回路１１０、映像信号線駆動回路１１２、入力端子部１１４などが設けられていてもよい。ロッドレンズアレイ１０２は第１基板１０４に対向し、表示領域１０６から光が放出される方向に設けられている。
【００２６】
ロッドレンズアレイ１０２と第１基板１０４とはシール材１１６により固定されている。ロッドレンズアレイ１０２と第１基板１０４とは数マイクロメートルから数十マイクロメートルの間隙をもって固定されており、当該間隙部には充填材１１８が設けられている。充填材１１８としては樹脂材料が好適に用いられる。ロッドレンズアレイ１０２と第１基板１０４の間に表示領域１０６を挟み込み、充填材１１８を封入する構成は固体封止とも呼ばれている。
【００２７】
表示領域１０６における各画素には発光素子が設けられている。発光素子としては、例えば発光層に有機ＥＬ材料が用いられる有機ＥＬ素子が適用される。表示領域１０６における各画素は、画素回路により発光が個別に制御される。各画素の発光を制御する信号は、走査線駆動回路１１０及び映像信号線駆動回路１１２から与えられる。
【００２８】
図１及び図２で示す表示装置１００は、表示領域１０６の発光がロッドレンズアレイ１０２側に射出されるトップエミッション型の構成を有している。
【００２９】
図１及び図２において、表示領域１０６と重なるようにロッドレンズアレイ１０２が設けられている。ロッドレンズアレイ１０２は、表示領域１０６から射出される光に対し光学的作用をする構造を有している。すなわち、ロッドレンズアレイ１０２は、画素から射出された光を屈折させて光路を変換する機能を有している。別言すれば、表示領域１０６のある画素からロッドレンズアレイ１０２に所定の角度で入射する光が隣接する他の画素上にまで入射して混色することを防止する機能を有している。例えば、ロッドレンズアレイ１０２は第１基板１０４に対向し、表示領域１０６から光が放出される方向に設けられている。ロッドレンズアレイ１０２は複数のロッドレンズが配列されたものであり、ロッドレンズは１つの画素に１または２以上が対応するように設けられている。ロッドレンズアレイ１０２の存在範囲は、少なくても表示領域１０６に対応していればよく、画素が存在しない周辺には充填材だけの領域を設けていても、端部までロッドレンズ２００が存在していてもどちらでもよい。しかしながら、ロッドレンズアレイ基板の作成方法の容易さから考えると、この基板を切断しやすくするために周辺部には、ロッドレンズ２００が無い方が好ましい。
【００３０】
図３に示したように、ロッドレンズアレイ１０２は、数マイクロメートルから数百マイクロメートルの直径を有するロッドレンズ２００が密に配列された複数のロッドレンズ２００により形成される。ロッドレンズ２００は入射光を屈折させる特性を有している。入射光の屈折率はロッドレンズ２００の中心からの距離によって異なる。すなわち、ロッドレンズ２００において、ロッドレンズ２００の中心に近い部分の光の屈折率は高く、ロッドレンズ２００の中心から離れるにしたがって光の屈折率が連続的に低くなる。また、ロッドレンズ２００においては、ロッドレンズ２００が接着されるときにできる隙間部分、すなわち、ロッドレンズ２００とロッドレンズ２００の間のクラッド領域よりもその屈折率が高い。ロッドレンズ２００はコア２１２とコア２１２の周りの周辺部２１６とを有する。コア２１２と周辺部２１６との間に中間周辺部２１４があってもよい。コア２１２の屈折率＞中間周辺部２１４の屈折率＞周辺部２１６の屈折率＞クラッド領域の屈折率となっている。これら屈折率分布を形成する方法としては、ファイバ形成時に複数の屈折率材料を同時に延伸させる方法、または外部から異なる屈折率材料を浸み込ませる方法などがある。
【００３１】
対向する表示領域１０６との関係において、ロッドレンズアレイ１０２における個々のロッドレンズは、一つの画素に少なくとも一つ設けられていればよく、好ましくは一つの画素に対して複数個が設けられていればよい。
【００３２】
ロッドレンズアレイ１０２の表面は、平面形状を有しており、これにより基板１０４と基板１０２の間隔を狭ギャップ化し画素の高精細化に対応することができる。
【００３３】
表示領域１０６の構成を、図２を参照して説明する。図２は、表示領域１０６における画素１２０の構成を断面図で示す。画素１２０には有機ＥＬ素子１２２とトランジスタ１３２が含まれている。有機ＥＬ素子１２２は、画素電極１２４上に有機ＥＬ層１２６及び共通電極１２８が積層された構成を有している。画素電極１２４の周縁部はバンク層１３０によって覆われており、有機ＥＬ層１２６は画素電極１２４の上面からバンク層１３０にかけて設けられている。また、有機ＥＬ素子１２２の上面側には、封止膜１４２が設けられていてもよい。封止膜１４２は、表示領域１０６の略前面を覆うように設けられている。他の実施例においては、充填材１１８を設けずに、表示領域の最上層の封止膜１４２が直接ロッドレンズアレイ１０２に接するように構成してもよい。
【００３４】
有機ＥＬ層１２６は、低分子系又は高分子系の有機材料を用いて形成することができる。有機ＥＬ層１２６に低分子系の有機材料を用いる場合、発光性の有機材料を含む発光層に加え、当該発光層を挟むように正孔輸送層や電子輸送層等のキャリア輸送層が設けられていてもよい。また、有機ＥＬ層１２６は、赤色（Ｒ）、緑色（Ｇ）、青色（Ｂ）の各色を発光するものであってもよいし、いわゆる白色発光を呈するものであってもよい。有機ＥＬ層１２６が白色発光である場合には、カラーフィルタとの組み合わせにより、カラー表示を行うことができる。
【００３５】
本実施形態では、トップエミッション型の画素構成を有するため、有機ＥＬ素子１２２の構成は、共通電極１２８が透光性を有し、画素電極１２４には光反射面が設けられていることが好ましい。有機ＥＬ層１２６の発光は、立体角で表せば４πの全方向に放射されるため、ロッドレンズアレイ１０２側に放射される光は、少なくとも、有機ＥＬ層１２６から直接放射される光の成分と、画素電極１２４で反射してロッドレンズアレイ１０２側へ放射される光の成分が混在している。いずれにしても、有機ＥＬ層１２６で発光した光は、さまざまな角度でロッドレンズアレイ１０２に入射することとなる。
【００３６】
共通電極１２８は複数の画素に共通の電位が印加され、これに対し画素電極１２４は、各画素にそれぞれ個別の電位が印可されて有機ＥＬ素子１２２に流れる電流が制御される。画素電極１２４の電位はトランジスタ１３２によって制御される。
【００３７】
トランジスタ１３２は、半導体層１３４とゲート電極１３８がゲート絶縁層１３６によって絶縁された電界効果トランジスタである。具体的には、薄膜の半導体層１３４にチャネルが形成される薄膜トランジスタの形態を有している。トランジスタ１３２と有機ＥＬ素子１２２の間には層間絶縁層１４４が設けられていることが好ましく、画素電極１２４はこの層間絶縁層１４４上に設けられており、コンタクトホールを介してソース・ドレイン電極１４０と接続されている。
【００３８】
ロッドレンズアレイ１０２は、有機ＥＬ素子１２２と重なるように設けられている。画素１２０における実質的な発光領域は、画素電極１２４、有機ＥＬ層１２６及び共通電極１２８が重畳する領域にあり、図２ではこの領域に対して、ロッドレンズアレイ１０２のロッドレンズが複数配置されているが、図４に示すように１つ配置してもよい。ロッドレンズアレイ１０２は平面形状を有することによってギャップを制御し光の取り出し効率を改善している。
【００３９】
図８に示したとおり、有機ＥＬ素子１２２で発光した光は、ロッドレンズアレイ１０２に対して垂直に入射するのみならず、さまざまな角度をもってロッドレンズアレイ１０２に入射する。ロッドレンズアレイ１０２を設けない場合には、対向基板が樹脂材料であるとその屈折率は空気の屈折率よりも大きいため、基板と大気との界面にける屈折が問題となる。例えば、対向基板が屈折率１．６程度の樹脂材料である場合、空気の屈折率（ｎ＝１．０）に比べて高いことになるので、臨界角以上の角度でこの界面に入射する光は全反射することになる。また、ロッドレンズアレイ１０２を設けない場合には、表示領域１０６の特定の画素からロッドレンズアレイ１０２に角度を有して入射する光が他の画素上にまで入射して混色が生じるおそれがある。しかしながら、平面形状のロッドレンズアレイ１０２を設けることにより、この界面での全反射を低減することができ、さらに、画素間での混色を防止できる。
【００４０】
例えば、ロッドレンズアレイ１０２が設けられている場合、ロッドレンズのレンズの作用により、入射光を屈折させ、大気との界面における全反射を抑制することができる。仮に、この界面で反射し、ロッドレンズアレイ１０２を導波する光も、ロッドレンズアレイ１０２の作用により乱反射され、大気側へ射出することができる。ロッドレンズアレイ１０２によるこのような作用により、有機ＥＬ素子１２２で発光した光の取り出し効率を高めることができる。
【００４１】
また、ロッドレンズアレイ１０２が設けられている場合、表示領域から略垂直にロッドレンズアレイに入射した光は略垂直に外気へ放出され、他方、一定の角度を有してロッドレンズアレイに入射する光は、ロッドレンズアレイへの入射面で屈折した光がロッドレンズとロッドレンズの境界面においてさらに屈折し、ロッドレンズアレイから外気へ放出されるときに再度屈折する。このような経過を経て、特定の画素上から一定の角度を有してロッドレンズアレイに入射する光であっても、当該特定の画素上に放出される。したがって、他の画素上へ放出されることを防ぎ、混色を防止することができる。
【００４２】
本実施形態の表示装置１００は、表示領域１０６からの光射出面側（表示画面側）に平板化されたロッドレンズアレイ１０２を設けることにより、薄型化を図りつつ、光の取り出し効率を高めることを可能としている。次に、このような表示装置の製造方法について説明する。
【００４３】
＜ロッドレンズアレイ製造方法の一例＞
本発明の一実施形態に適用可能なロッドレンズアレイ１０２の製造方法の一例を、図５及び図６を参照して説明する。図５及び図６は、ロッドレンズアレイ１０２の製造工程を説明する図である。
【００４４】
図５に示すように、ロッドレンズアレイ１０２は、細い光ファイバを束ねて光ファイバ束とし、樹脂などで接着した上、断面方向に薄くスライスすることで形成する。また、ロッドレンズアレイ１０２は、光ファイバ束の他に、グリンレンズ（屈折率分布型レンズ：Ｇｒａｄｉｅｎｔ  Ｉｎｄｅｘ（ＧＲＩＮ）レンズ）を使用して形成してもよい。図６に示すように、高屈折率樹脂材料で枠を形成した後、低屈折率樹脂を充填し、表面を平坦化し、ＵＶ等によって熱硬化して形成してもよい。
【００４５】
ロッドレンズアレイ１０２のロッドレンズは、コア材料、クラッド材料共に石英ガラス（シリカ・ガラス）からなる、ガラス製の光ファイバ（Ｇｌａｓｓｏｐｔｉｃａｌ  ｆｉｂｅｒ）によって形成してもよい。光を閉じこめて伝播させるためにはコアとクラッドに屈折率差が必要であるため、コアには屈折率を上げるためにＧｅ（ゲルマニウム）やＰ（リン）を、クラッドには屈折率を下げるためにＢ（ホウ素）やＦ（フッ素）などを添加してもよい。ガラス製の光ファイバは、プラスチック製の光ファイバよりも伝送損失が小さいため、長距離伝送用の光ファイバとして用いることができる。通信に用いる場合、伝送損失を下げる必要があるため、コア材料は最大の透明度が得られるように高純度のシリカ・ガラスを使用することが好ましい。
【００４６】
また、ロッドレンズアレイ１０２は、プラスチック製の光ファイバ（Ｐｌａｓｔｉｃｏｐｔｉｃａｌ  ｆｉｂｅｒ）によって形成してもよい。クラッド材料には、低屈折率を有するフッ素系ポリマーを用いる。コア材料には、高屈折率、透明性、強度などが必要とされ、完全フッ素化ポリマー、ポリメタクリル酸メチル（ＰＭＭＡ）系物質、ポリカーポネート、ポリスチレン、含重水素化ポリマー等を用いてもよい。
【００４７】
完全フッ素化ポリマーは、Ｃ−Ｈ結合をＣ−Ｆ結合に完全に置換し、振動吸収を長波長側へ変化させ、光学損失を軽減するために用いられる。完全フッ素化ポリマーは、コア内の屈折率を中心から周辺に向かって連続的に低くなるように変化させる。ポリメタクリル酸メチル（ＰＭＭＡ）系物質は、コアとクラッドの界面のみで屈折率が不連続に変化させる。ポリメタクリル酸メチル（ＰＭＭＡ）系物質は、安価で機械的特性や可視光の透過性が良好であり、原料からファイバ製品まで完全密閉で連続的に製造することが可能である。ポリカーポネートは、ＰＭＭＡに比べて耐熱性が高い。ポリスチレンは、ベンゼン環を有するため可視領域での損失が大きい。含重水素化ポリマーは、Ｃ−Ｈ結合をＣ−Ｄ結合に一部置換し振動吸収を長波長側へ変化させ、光学損失を軽減するために用いられる。強度特性の低下はないが、吸水による光学特性の劣化が大きくなる。尚、このように作成されたロッドレンズアレイ１０２は平面方向（図３等のロッドレンズアレイ１０２が広がっている方向）においては屈折率が変わる形態であり、平面と垂直な方向においては屈折率が変わらない形態である。このような形態であることにより、ロッドレンズアレイ１０２を平面形状とすることが容易となり、レンズによる凸凹を防いでギャップ制御を簡単に行うことができる。
【００４８】
ロッドレンズアレイ１０２が準備できたら、これを有機ＥＬ素子が形成された第１基板１０４に対向させて貼り合わせ、次いで充填材を硬化する。これにより第１基板１０４及びロッドレンズアレイ１０２が固定される。
【００４９】
［第２の実施形態］
本発明の他の実施形態に係る表示装置の構成を図４に示す。
【００５０】
図４に示すように、本発明の他の実施形態に係る表示装置においては、ロッドレンズアレイ２０２のロッドレンズが、表示領域の１つの画素に対して１つ対応していることを除いては上述した第１の実施形態と同様である。
【００５１】
ロッドレンズアレイ２０２のロッドレンズが、表示領域の１つの画素に対して１つ対応している場合には、図４の（Ｂ）に示すように光が屈折し放出される。すなわち、表示領域から略垂直にロッドレンズアレイ２０２に入射した光は略垂直に外気へ放出され、一定の角度を有してロッドレンズアレイ２０２に入射する光は、ロッドレンズアレイ２０２への入射面で屈折した光がロッドレンズとロッドレンズの境界面においてさらに屈折し、ロッドレンズアレイ２０２から外気へ放出されるときに再度屈折する。このような経過を経て、特定の画素上から一定の角度を有してロッドレンズアレイ２０２に入射する光であっても、当該特定の画素上に放出される。したがって、他の画素上へ放出されることを防ぎ、混色を防止することができる。
【００５２】
［第３の実施形態］
本発明の他の実施形態に係る表示装置の構成を図７に示す。
【００５３】
図７に示すように、本発明の他の実施形態に係る表示装置においては、ロッドレンズアレイ３０２から光が放出される方向に第２基板３０４を備えることを除いては上述した第１の実施形態と同様である。図７に示すように、第２基板３０４とロッドレンズアレイ３０２との間にはカラーフィルタ３４８を備えてもよい。このカラーフィルタ３４８は有機ＥＬ素子１２２上に設けられ、発光を行う有機ＥＬ層１２６が無いバンク１３０上にはブラックマトリクス３５８がある。さらにバンク１３０上の封止膜１４２とロッドレンズアレイ３０２が互いに接する形態となっている。
【００５４】
本実施形態の場合、有機ＥＬ素子１２２の発光はロッドレンズアレイ３０２を通して射出されるので、第２基板３０４は透光性を有する必要があり、第２基板３０４にはガラス又は樹脂材料が用いられる。透光性の優れた樹脂材料としては、例えば、ポリベンゾオキサゾール、脂環式構造を有するポリアミドイミド、脂環式構造を有するポリイミド、ポリアミド及びポリ（ｐ−キシリレン）から選択される樹脂材料を含むものが好ましく、これらの樹脂材料を単独で含んでいてもよいし、複数種が組み合わされていてもよい。
【００５５】
本実施形態によれば、ロッドレンズアレイ３０２により光の取り出し効率を高めつつ、カラーフィルタ３４８によりカラー表示を行う表示装置を得ることができる。ロッドレンズアレイ３０２により多くの光をカラーフィルタ３４８に入射させることができるので、コントラストの高い表示装置を提供することができる。ブラックマトリクス３５８により隣接画素からの混色を確実に防ぎ、バンク１３０上の封止膜１４２とロッドレンズアレイ３０２が互いに接することにより、隣接画素からの混色をより防ぎつつ有機ＥＬ素子１２２からの光をロッドレンズアレイ３０２がより多く取り込めるために光の取り出し効率が上がる。
【００５６】
なお、図７では、有機ＥＬ素子１２２側から、ロッドレンズアレイ３０２、カラーフィルタ３４８が積層される構成を示すが、ロッドレンズアレイ３０２とカラーフィルタ３４８の積層順を入れ替えてもよい。
【００５７】
なお、本発明は上記の実施形態に限られたものではなく、趣旨を逸脱しない範囲で適宜変更することが可能である。
【符号の説明】
【００５８】
１００・・・表示装置
１０２、２０２、３０２・・・ロッドレンズアレイ
１０４・・・第１基板
１０６・・・表示領域
１１０・・・走査線駆動回路
１１２・・・映像信号線駆動回路
１１４・・・入力端子部
１１６・・・シール材
１１８・・・充填材
１２０、２２０、３２０・・・画素
１２２・・・有機ＥＬ素子
１２４・・・画素電極
１２６・・・有機ＥＬ層
１２８・・・共通電極
１３０・・・バンク層
１３２・・・トランジスタ
１３４・・・半導体層
１３６・・・ゲート絶縁層
１３８・・・ゲート電極
１４０・・・ソース・ドレイン電極
１４２・・・封止膜
１４４・・・層間絶縁層
１４６・・・遮光層
１４８、３４８・・・カラーフィルタ層
１５０・・・オーバーコート層
２００・・・ロッドレンズ
２１２・・・コア
２１４・・・中間周辺部
２１６・・・周辺部
３０４・・・第２基板
３５８・・・ブラックマトリクス
【図１】
2015215388.tif 000003
【図２】
2015215388.tif 000004
【図３】
2015215388.tif 000005
【図４】
2015215388.tif 000006
【図５】
2015215388.tif 000007
【図６】
2015215388.tif 000008
【図７】
2015215388.tif 000009
【図８】
2015215388.tif 000010